(57)【特許請求の範囲】
【請求項１】
バーナが設けられる筐体の前面に設けられ、前記バーナを操作する為の操作部を有する操作パネル部が形成されたフロントパネルを備え、
前記フロントパネルの背面において、前記操作パネル部に対応する所定領域には、前記操作部の前記操作を受け付け可能な制御部を備える電装基盤が固定され、
前記フロントパネルの前記所定領域よりも上方には、前記バーナの火力を調節する為の火力調節レバーを挿通させる開口が形成されたコンロにおいて、
前記フロントパネルの前記背面には、
前記所定領域の上側に沿って横方向に延び、且つ後方に張り出した庇部が設けられ、
前記庇部の前記横方向の第一幅は、前記フロントパネルの前記所定領域に固定された前記電装基盤の前記横方向の第二幅よりも長く、
前記フロントパネルの前記背面側には、前記所定領域に固定された前記電装基盤の背面及び上下左右の周囲を覆うカバー部材が、前記電装基盤の前記背面側から取り付けられ、
上下方向に延びるアーム部と、前記アーム部の下端部に設けられ、使用者によって後方に押される押圧部とを備えたスイッチ部材をさらに備え、
前記アーム部は、前記開口の第三幅と同一又はそれ以上の第四幅を有し、
前記フロントパネルの前記背面において、前記開口と前記所定領域との間に形成された支持部によって、前記アーム部の上端部が回動可能に支持され、
前記押圧部は、前記フロントパネルのうち前記操作パネル部の下方に形成された穴部に対して、前記フロントパネルの前記背面側から前面側に挿入され、
前記穴部の後方には、前記押圧部を前方に付勢する付勢手段が設けられ、
前記スイッチ部材は、前記押圧部が前記付勢手段の付勢力に抗して前記フロントパネルの前記前面側から前記背面側に押し込まれることによって、前記バーナの点火消火を行う点火消火装置を動作させ、
前記アーム部は、前記スイッチ部材の前記押圧部が後方に押し込まれていない状態において、前記アーム部の前面部が前記カバー部材の前記背面側に沿うように配置されていること
を特徴とするコンロ。
【請求項２】
前記フロントパネルの前記所定領域には、前記開口の下方において後方に突出する突起部が設けられ、
前記カバー部材には、前記突起部が挿通される挿通穴が設けられ、
前記アーム部は、前記スイッチ部材の前記押圧部が後方に押し込まれていない状態において、前記アーム部の前面部が前記カバー部材の前記背面側に沿い、且つ前記突起部を後方から覆うように配置されていること
を特徴とする請求項１に記載のコンロ。
【請求項３】
前記アーム部の背面部には、上下方向に延びる一又は複数のリブが設けられていること
を特徴とする請求項１又は２に記載のコンロ。
【発明の詳細な説明】
【技術分野】
【０００１】
本発明は、コンロに関する。
【背景技術】
【０００２】
従来、タイマー調理機能、自動調理機能等を備えたコンロが知られている（例えば、特許文献１参照）。この種のコンロでは、筐体の前部に固定されるフロントパネルの前面の所定位置に、押下ボタン、及び光を透過させる為の一又は複数の投光窓が形成され、これら押下ボタン、及び投光窓を覆うシートを所定位置に貼り付けることで、操作パネル部が形成されている。また、フロントパネルの操作パネル部の裏面には、タクトスイッチ、７セグＬＥＤ或いは発光ランプ等の発光素子が実装された電装基盤が固定されており、前述の押下ボタンが押下された際に、タクトスイッチがオンされて、所定の機能が選択可能とされると共に、対応する発光素子が発光するように構成されている。
【先行技術文献】
【特許文献】
【０００３】
【特許文献１】特開２００１−３３６７５８号公報
【発明の概要】
【発明が解決しようとする課題】
【０００４】
しかしながら、上記のコンロでは、フロントパネルの裏面に電装基盤を固定しているので、仮に調理途中に吹き零れが生じて、煮汁等がフロントパネル側に流れ、隙間等を通じてフロントパネルの裏面側に侵入した場合、煮汁等が電装基盤に付着し易いという問題点があった。特に、火力調節レバーを左右にスライドさせることで、火力調整を行うタイプのコンロでは、火力調節レバーを筐体内部から外部に挿通させる必要性から比較的大きな隙間を形成する必要があり、煮汁等が侵入した場合の影響を受け易いという問題点もあった。
【０００５】
本発明の目的は、煮汁等がフロントパネルの背面側に侵入した場合に、電装基盤に煮汁等が付着するのを防止できるコンロを提供することである。
【課題を解決するための手段】
【０００６】
請求項１に係る発明のコンロは、バーナが設けられる筐体の前面に設けられ、前記バーナを操作する為の操作部を有する操作パネル部が形成されたフロントパネルを備え、前記フロントパネルの背面において、前記操作パネル部に対応する所定領域には、前記操作部の前記操作を受け付け可能な制御部を備える電装基盤が固定され、前記フロントパネルの前記所定領域よりも上方には、前記バーナの火力を調節する為の火力調節レバーを挿通させる開口が形成されたコンロにおいて、前記フロントパネルの前記背面には、前記所定領域の上側に沿って横方向に延び、且つ後方に張り出した庇部が設けられ、前記庇部の前記横方向の第一幅は、前記フロントパネルの前記所定領域に固定された前記電装基盤の前記横方向の第二幅よりも長く、前記フロントパネルの前記背面側には、前記所定領域に固定された前記電装基盤の背面及び上下左右の周囲を覆うカバー部材が、前記電装基盤の前記背面側から取り付けられ、上下方向に延びるアーム部と、前記アーム部の下端部に設けられ、使用者によって後方に押される押圧部とを備えたスイッチ部材をさらに備え、前記アーム部は、前記開口の第三幅と同一又はそれ以上の第四幅を有し、前記フロントパネルの前記背面において、前記開口と前記所定領域との間に形成された支持部によって、前記アーム部の上端部が回動可能に支持され、前記押圧部は、前記フロントパネルのうち前記操作パネル部の下方に形成された穴部に対して、前記フロントパネルの前記背面側から前面側に挿入され、前記穴部の後方には、前記押圧部を前方に付勢する付勢手段が設けられ、前記スイッチ部材は、前記押圧部が前記付勢手段の付勢力に抗して前記フロントパネルの前記前面側から前記背面側に押し込まれることによって、前記バーナの点火消火を行う点火消火装置を動作させ、前記アーム部は、前記スイッチ部材の前記押圧部が後方に押し込まれていない状態において、前記アーム部の前面部が前記カバー部材の前記背面側に沿うように配置されていることを特徴とする。
【０００７】
【０００８】
【０００９】
請求項２に係る発明のコンロは、請求項１に記載の構成に加え、前記フロントパネルの前記所定領域には、前記開口の下方において後方に突出する突起部が設けられ、前記カバー部材には、前記突起部が挿通される挿通穴が設けられ、前記アーム部は、前記スイッチ部材の前記押圧部が後方に押し込まれていない状態において、前記アーム部の前面部が前記カバー部材の前記背面側に沿い、且つ前記突起部を後方から覆うように配置されていることを特徴とする。
【００１０】
請求項３に係る発明のコンロは、請求項１又は２に記載の構成に加え、前記アーム部の背面部には、上下方向に延びる一又は複数のリブが設けられていることを特徴とする。
【発明の効果】
【００１１】
請求項１に係る発明のコンロでは、所定領域の上方に形成される開口を通じて煮汁等がフロントパネル裏面側に侵入した場合でも、侵入した煮汁等を庇部で受けることができる。これにより、所定領域に固定される電装基盤に煮汁等が付着するのを防止できる。
【００１２】
コンロは、電装基盤の前方をフロントパネルで覆い、残りの方向をカバー部材で覆うことができるので、電装基盤に煮汁等が付着するのをより効果的に防止できる。さらに、電装基盤の全方位を覆うことで、害虫等がカバー部材の内側に侵入し、電装基盤に付着するのを防止できる。
【００１３】
フロントパネル裏面において、開口と所定領域との間で、アーム部の上端を支持部で回動可能に支持すると共に、そのアーム部の幅を開口の幅と略同一幅としている。これにより、開口から侵入した煮汁等はアーム部を伝って、所定領域に固定された電装基盤と接触するのを避けながら電装基盤よりも下側に導かれる。よって、煮汁等が所定領域、及び所定領域に取り付けられる電装基盤にかかるのを防止できる。
【００１４】
請求項２に係る発明のコンロでは、請求項１に記載の効果に加え、フロントパネルの所定領域に設けられた突起部に対し、カバー部材に設けられた挿通穴に挿通させることができるので、フロントパネルに対してカバー部材を取り付ける際に、カバー部材の位置決めを行うことができる。これにより、カバー部材の取り付け作業を簡易化できる。また、カバー部材の位置決めの為に、挿通穴内に突起部を差し入れる構成を採用すると、突起部の周囲の隙間を通じて煮汁等が電装基盤側へ侵入することが懸念されるが、本発明においては、スイッチ部の非押し込み時において、カバー部材の背面側に沿うように、且つ突起部を背面側から覆うようにアーム部が位置しているので、電装基盤側への煮汁等の侵入を防止できる。
【００１５】
請求項３に係る発明のコンロでは、請求項１又は２に記載の効果に加え、上下方向に延びるリブを設けることで、より効率的に煮汁等を固定部の下側に導くことができ、固定部内の電装基盤に煮汁等がかかるのを防止できる。
【図面の簡単な説明】
【００１６】
【図１】ガスコンロ１の斜視図である。
【図２】筐体２から天板を取り外したガスコンロ１の斜視図である。
【図３】図１に示すＩ−Ｉ線矢視方向断面図である。
【図４】右側フロントパネル３１の背面側から見た斜視図である。
【図５】右側フロントパネル３１の背面図である。
【図６】右側フロントパネル３１の背面側から見た分解斜視図である。
【図７】右側フロントパネル３１の背面側に電装基盤とカバー部材７０を固定した状態を示す斜視図である。
【発明を実施するための形態】
【００１７】
以下、本発明の実施形態について、図面を参照して説明する。以下に記載されている装置の構造などは、特に特定的な記載がない限り、それのみに限定する趣旨ではなく、単なる説明例である。図面は、本発明が採用しうる技術的特徴を説明するために用いられるものである。なお、以下説明では、図中に矢印で示す上下、左右、前後を使用する。
【００１８】
図１，図２を参照して、ガスコンロ１の外観構造を説明する。ガスコンロ１は、略直方体状の筐体２を備える。筐体２は金属製であり、上面が開口する略直方体状に形成されている。筐体２の上部には、上面の開口を閉塞するように、天板３が取り付けられている。天板３の上面の右側には右コンロバーナ５、左側には左コンロバーナ６が設けられている。右コンロバーナ５と左コンロバーナ６に挟まれる部分の後方には、グリル排気口（図示略）が設けられている。グリル排気口は、筐体２内に設置されるグリル庫（図示略）から延びる排気筒（図示略）と連通し、グリル庫内の燃焼ガスを排出する。グリル排気口には、複数の孔を備える排気カバー８が上方から設置されている。
【００１９】
筐体２の前面には、前板部２４（図２参照）が設けられ、その左右方向略中央部には、グリル用開口部（図示略）が設けられている。グリル用開口部は、筐体２の内側の略中央に設置されたグリル庫の前面に設けられたグリル開口（図示略）と連通する。グリル用開口部の前側には、グリル扉１０が前後方向に移動可能に設けられている。グリル扉１０はグリル用開口部を開閉する。グリル扉１０の前面は、筐体２の前方に対して上部から下部にかけて斜め下方に傾斜している。グリル扉１０の前面の下部には、前方に突出する取手１０Ａが設けられている。ユーザは、グリル扉１０の取手１０Ａを手前側に引き出すと、グリル扉１０の背面下部に連結した受け皿（図示略）と焼き網を、グリル庫内から同時に取り出すことができる。
【００２０】
前板部２４の前面において、グリル扉１０の右側には、樹脂製の右側フロントパネル３１が装着され、グリル扉１０の左側には、樹脂製の左側フロントパネル３２が装着されている。これら右側フロントパネル３１及び左側フロントパネル３２の夫々の前面部は、グリル扉１０の前面と同一角度で、前方に対して上部から下部にかけて斜め下方に傾斜している。それ故、ユーザが上方からガスコンロ１の前面を見下ろした場合、右側フロントパネル３１及び左側フロントパネル３２の夫々の前面部がユーザの目線に対向するので、ガスコンロ１の前面の視認性を向上できる。
【００２１】
右側フロントパネル３１の前面の下側には、後述するスイッチ部材１１，１２（図４参照）の押圧部８２，９２が前側に露出し、左右方向に並んで設けられている。スイッチ部材１１の押圧部８２は、グリル扉１０の右側に隣接して設けられ、右コンロバーナ５の点火・消火の操作を行う。スイッチ部材１２の押圧部９２は、押圧部８２の右隣に設けられ、グリル庫内に設けられた一対のグリルバーナ（図示略）の点火・消火の操作を行う。一対のグリルバーナとは、グリル庫内の上下に設けられた上バーナ及び下バーナ（図示略）である。
【００２２】
図２に示すように、押圧部８２の上方には、火力調節レバー１６が設けられ、押圧部９２の上方には、火力調節レバー１７が設けられている。火力調節レバー１６は、略水平方向におけるスライド操作によって、右コンロバーナ５の火力調節を行う。火力調節レバー１７は、上火用調整レバー１７Ａと下火用調整レバー１７Ｂを上下に備える。上火用調整レバー１７Ａは、略水平方向におけるスライド操作によって、上バーナの火力調節を行う。下火用調整レバー１７Ｂは、略水平方向におけるスライド操作によって、下バーナの火力調節を行う。
【００２３】
また、押圧部８２，９２と、火力調節レバー１６，１７との間には、正面視略矩形状の操作パネル部３５が設けられている。操作パネル部３５では、右コンロバーナ５、及びグリルバーナを用いた調理機能、例えば、タイマー調理機能、自動調理機能等の操作が可能である。操作パネル部３５には、例えば、押下ボタン３５１，３５２、投光窓４１４等が設けられている。押下ボタン３５１は、押圧部８２の直上に設けられ、右コンロバーナ５における各種機能の設定又は入力等を行う。押下ボタン３５２は、押圧部９２の直上に設けられ、グリルバーナにおける各種機能の設定又は入力等を行う。投光窓４１４は、押下ボタン３５２の上側に設けられ、後述する電装基盤６０の片面に設けられた表示器６７を視認可能である。表示器６７は、加熱時間、残り時間、又はパラメータ等を数値で表示する。投光窓４１４には、透明な樹脂シート（図示略）が貼り付けられている。
【００２４】
他方、左側フロントパネル３２の前面の下側にも、右側フロントパネル３１と同様に、スイッチ部材１３の押圧部１３１、及び電池ケース１５が左右方向に並んで設けられている。押圧部１３１は、グリル扉１０の左側に隣接して設けられ、左コンロバーナ６の点火・消火の操作を行う。電池ケース１５は、押圧部１３１の左隣に設けられ、ガスコンロ１の電源として、例えば２つの乾電池を格納する。押圧部１３１の上方には、火力調節レバー１８が設けられている。火力調節レバー１８は、略水平方向におけるスライド操作によって、左コンロバーナ６の火力調節を行う。
【００２５】
押圧部１３１及び電池ケース１５と、火力調節レバー１８との間には、正面視略矩形状の操作パネル部３６が設けられている。操作パネル部３６では、左コンロバーナ６を用いた調理機能、例えば、タイマー調理機能、自動調理機能等の操作が可能である。操作パネル部３６には、例えば、押下ボタン３６１等が設けられている。押下ボタン３６１は、押圧部１３１の直上に設けられ、右コンロバーナ５における各種機能の設定又は入力等を行う。ユーザは、これら操作パネル部３５，３６を用いて、各種バーナを用いた調理機能の設定又は入力等を行うことができる。
【００２６】
図２を参照し、筐体２の構造を説明する。筐体２は、筺体本体部２０及び前板部２４の二つの板金部材を互いに組み付け、ネジで固定することによって構成されている。筺体本体部２０は、前側が開口する平面視略Ｕ字形状に形成されている。筺体本体部２０は、右側板部２１、左側板部２２、後板部２３を備える。後板部２３は、右側板部２１及び左側板部２２の夫々の後端部同士を繋いでいる。そのような筺体本体部２０の開口する前側に、正面視略矩形状の前板部２４がネジで組み付けられている。
【００２７】
そのような構成を備える筐体２の内側の略中央には、略直方体状のグリル庫が設置され、その上側を遮熱版１９が覆うようにして取り付けられている。そのグリル庫の右側には、右コンロバーナ５が上方に突出するように支持され、左側には、左コンロバーナ６が上方に突出するように支持されている。その右コンロバーナ５の前側で、且つスイッチ部材１１の後方には、点火消火装置１０１が設置されている。スイッチ部材１２の後方には、点火消火装置１０２が設置されている。他方、左コンロバーナ６の前側で、且つスイッチ部材１３の後方には、点火消火装置１０３が設置されている。
【００２８】
点火消火装置１０１は、右コンロバーナ５に対応し、スイッチ部材１１の押圧部８２の押下操作に連動して、右コンロバーナ５へ供給するガス流路を開放又は遮断すると共に、火力調節レバー１６のスライド操作に応じて、右コンロバーナ５に供給するガス量を調節する。点火消火装置１０２は、グリルバーナに対応し、スイッチ部材１２の押圧部９２の押下操作に連動して、グリルバーナへ供給するガス流路を開放又は遮断すると共に、火力調節レバー１７のスライド操作に応じて、グリルバーナに供給するガス量を調節する。点火消火装置１０３は、左コンロバーナ６に対応し、スイッチ部材１３の押圧部１３１の押下操作に連動して、左コンロバーナ６へ供給するガス流路を開放又は遮断すると共に、火力調節レバー１８のスライド操作に応じて、左コンロバーナ６に供給するガス量を調節する。
【００２９】
図３を参照し、点火消火装置１０２の構造を簡単に説明する。なお、点火消火装置１０１〜１０３は何れも同様の構造であるので、ここでは、点火消火装置１０２の構造を説明し、点火消火装置１０１，１０３の構造の説明は省略する。点火消火装置１０２は、バルブボディ１１１と火力調節部１１２を備える。バルブボディ１１１は、点火消火装置１０２の下部に設けられ、前後方向に延びる略円筒状の部材である。バルブボディ１１１は、内部に、ガス流路（図示略）、スピンドル（図示略）、移動部材１１３、戻しバネ（図示略）、メイン弁（図示略）、及びマグネット式安全弁（図示略）等を備える。ガス流路は、バルブボディ１１１の軸方向に延設する。スピンドルはガス流路内に挿入され、該流路に沿って進退可能である。
【００３０】
移動部材１１３は、バルブボディ１１１の前端部に設けられ、スイッチ部材１２の押圧部９２の背面に設けられた後述する被当接部９５に当接する。移動部材１１３は、スイッチ部材１２の押圧部９２の押下操作によって、スピンドルを後方に押す。戻しバネは、バルブボディ１１１内に設けられ、スピンドルを前方へ付勢する。それ故、戻しバネは、スピンドル及び移動部材１１３を介して、押圧部９２を前方に付勢する。メイン弁はスピンドルに固着されている。メイン弁は、スイッチ部材１２の押圧部９２の点火操作でガス流路を開閉する。マグネット式安全弁は、押圧部９２の点火操作により押下されてガス流路を開き、バーナ燃焼時の熱起電力によって開弁状態に保持する。火力調節部１１２は、点火消火装置１０２の上部に設けられている。火力調節部１１２は、火力調節レバー１７のスライド操作に合わせ、バルブボディ１１１からグリルバーナに供給するガス量を増減させる。
【００３１】
図２〜図６を参照して、右側フロントパネル３１の構造を具体的に説明する。なお、右側フロントパネル３１及び左側フロントパネル３２は、互いに同様の形状であるので、ここでは、右側フロントパネル３１を説明し、左側フロントパネル３２の説明は省略する。
【００３２】
右側フロントパネル３１の上部には、一対のレバー用開口部４６，４７が左右方向に並んで設けられている。レバー用開口部４６，４７は、左右方向に長い略矩形状に形成されている。レバー用開口部４６は、右側フロントパネル３１の正面左側に設けられている。レバー用開口部４６の内側には、火力調節レバー１６が筐体２の内部から外部に挿通され、左右方向にスライド操作可能とされている。レバー用開口部４７は、右側フロントパネル３１の正面右側に設けられている。レバー用開口部４７の内側には、火力調節レバー１７が筐体２の内部から外部に挿通され、左右方向にスライド操作可能とされている。
【００３３】
図６に示すように、右側フロントパネル３１の背面側において、表側の操作パネル部３６（図２，図３参照）に対応する位置には、基盤固定部４１が設けられている。基盤固定部４１は、背面視略矩形状の平面部であり、後述する電装基盤６０が固定される部位である。基盤固定部４１の大きさは、電装基盤６０の大きさと略同一である。基盤固定部４１には、３つの固定穴４１１〜４１３が設けられている。固定穴４１１は、基盤固定部４１の上端部の左右方向の略中央部近傍に設けられている。固定穴４１２は、基盤固定部４１の左下角部近傍に設けられている。固定穴４１３は、基盤固定部４１の右下角部近傍に設けられている。これら固定穴４１１〜４１３には、後述する電装基盤６０及びカバー部材７０を、基盤固定部４１に固定する為の３本のネジ２８が締結される。
【００３４】
さらに、固定穴４１２の右隣には、上述の押下ボタン３５１が設けられ、固定穴４１３の左隣には、上述の押下ボタン３５２が設けられている。押下ボタン３５１，３５２は、後述する電装基盤６０に設けられたタクトスイッチ６５，６６の各位置に対応する。押下ボタン３５２の上方には、矩形状の開口である上述の投光窓４１４が設けられている。投光窓４１４は、後述する電装基盤６０に設けられた７セグの表示器６７の位置に対応する。これにより、操作パネル部３５を正面から見た場合において、投光窓４１４を介して表示器６７を視認できる。さらに、基盤固定部４１の左上角部近傍には、後方に突出する棒状の位置決めピン４１５が設けられている。位置決めピン４１５は、後述する電装基盤６０及びカバー部材７０の位置決めを行う際に使用される。
【００３５】
また、レバー用開口部４６と基盤固定部４１との間には、左右方向に離間する一対の軸受部４２Ａ，４２Ｂが設けられている。軸受部４２Ａ，４２Ｂは側面視Ｃ字状に形成され、スイッチ部材１１の後述する被軸支ピン８３，８４を回動可能に軸支する。他方、レバー用開口部４７と基盤固定部４１との間には、左右方向に離間する一対の軸受部４３Ａ，４３Ｂが設けられている。軸受部４３Ａ，４３Ｂも側面視Ｃ字状に形成され、スイッチ部材１２の後述する被軸支ピン９３，９４を回動可能に軸支する。さらに、軸受部４２Ａ，４２Ｂ及び４３Ａ，４３Ｂと、基盤固定部４１との間には、庇部４５が設けられている。庇部４５は、基盤固定部４１の上側に沿って横方向に延びる平面視細長矩形状の板部であって、後方に張り出して形成されている。庇部４５は、レバー用開口部４６，４７から右側フロントパネル３１の背面側に侵入してきた煮汁等が、基盤固定部４１に固定された電装基盤６０にかかるのを防止できる。
【００３６】
また、右側フロントパネル３１の下部で、且つ基盤固定部４１の下方には、左右一対のスイッチ用開口部５１，５２が左右方向に並んで設けられている。スイッチ用開口部５１は正面から見て左側、スイッチ用開口部５２は正面から見て右側に位置する。スイッチ用開口部５１，５２は正面視略矩形状に形成され、右側フロントパネル３１を前後方向に貫通する。スイッチ用開口部５１には、スイッチ部材１１の後述する押圧部８２が後方から前方に挿入される。スイッチ用開口部５２には、スイッチ部材１２の後述する押圧部９２が後方から前方に挿入される（図２，図４参照）。
【００３７】
これらスイッチ用開口部５１，５２の更に下側には、左右方向に延びるロック部材５５が設けられている。ロック部材５５は、左右方向に移動可能に設けられ、ツマミ部５６、一対の係止部５７，５８を備える。ツマミ部５６は、ロック部材５５の前面の左右方向の略中央部に設けられている。一対の係止部５７，５８は、ロック部材５５の左右方向の両端部に上方に突出して設けられている。使用者は、ツマミ部５６を左右方向に移動させることによって、ロック部材５５が移動し、一対の係止部５７，５８が、スイッチ部材１１，１２の押圧部８２，９２に設けられた後述する係止凹部８８，９８に夫々係止する。これにより、スイッチ部材１１，１２の押圧部８２，９２は、何れも押し込み不能となる。
【００３８】
また、図４，図５に示すように、右側フロントパネル３１の左上角部近傍には、固定穴３１１が設けられ、右上角部近傍には、固定穴３１２が設けられ、右下角部近傍には、固定穴３１３が設けられている。固定穴３１１〜３１３は、筐体２の前板部２４の右側に対し、右側フロントパネル３１をネジ（図示略）で固定する為ものである。
【００３９】
そして、図４〜図６に示すように、上記構成の右側フロントパネル３１の背面側に対して、電装基盤６０、カバー部材７０、スイッチ部材１１，１２が夫々組み付けられる。
【００４０】
図６を参照し、電装基盤６０の構造を説明する。電装基盤６０は、正面視横長矩形状に形成され、操作パネル部３５の押下ボタン３５１，３５２の押下操作を受け付け可能な制御部（図示略）を備える。電装基盤６０の片面には、タクトスイッチ６５，６６、表示器６７、発光素子（図示略）等の各種電子部品が実装されている。表示器６７は、例えば７セグの表示器である。発光素子は、例えば、ＬＥＤ或いは発光ランプ等を用いることができる。電装基盤６０は、これら各種電子部品が実装された片面側が、基盤固定部４１に対向するように、３本のネジ２８で固定される。電装基盤６０が基盤固定部４１に固定された状態で、タクトスイッチ６５は、基盤固定部４１に設けられた押下ボタン３５１に対向し、タクトスイッチ６６は、基盤固定部４１に設けられた押下ボタン３５２に対向し、表示器６７は、基盤固定部４１に設けられた投光窓４１４に対向する。これにより、操作パネル部３５において、使用者が押下ボタン３５１，３５２を押下することで、タクトスイッチ６５，６６がオンされて、所定の機能が選択されると共に、対応する発光素子が発光するように構成されている。そして、使用者は、投光窓４１４を介して表示器６７を視認できる。
【００４１】
また、電装基盤６０には、３つの固定穴６１〜６３が設けられている。固定穴６１は、電装基盤６０の上端部の左右方向の略中央部に設けられている。固定穴６２は、電装基盤６０の左下角部近傍に設けられている。固定穴６３は、電装基盤６０の右下角部近傍に設けられている。これら固定穴６１〜６３には、右側フロントパネル３１の背面の基盤固定部４１に、電装基盤６０を固定する為の３本のネジ２８が挿入される。さらに、電装基盤６０の左上角部近傍には、ピン挿通穴６８が設けられている。ピン挿通穴６８には、基盤固定部４１に設けられた位置決めピン４１５が挿通される。
【００４２】
図６，図７を参照し、カバー部材７０の構造を説明する。カバー部材７０は、右側フロントパネル３１の基盤固定部４１に固定された電装基盤６０を後方から覆うようにして固定される。カバー部材７０は、基盤固定部４１に対向する側が開口する略直方体のケース状に形成されている。カバー部材７０は、本体部７１と側壁部７２を備える。本体部７１は板状部であって、電装基盤６０よりも大きい正面視略矩形状に形成されている。側壁部７２は、本体部７１の外周縁に沿って、右側フロントパネル３１側に突出するリブ状に立設されている。
【００４３】
図６に示すように、本体部７１には、３つの固定穴７３〜７５が設けられている。固定穴７３は、本体部７１の上端部の左右方向の略中央部に設けられている。固定穴７４は、本体部７１の左下角部近傍に設けられている。固定穴７５は、本体部７１の右下角部近傍に設けられている。これら固定穴７３〜７５は、電装基盤６０に設けられた固定穴６１〜６３の各位置に夫々対応する。固定穴７３〜７５には、基盤固定部４１に、カバー部材７０を固定する為のネジ２８が締結される。さらに、本体部７１の左上角部近傍には、ピン挿通穴７６が設けられている。ピン挿通穴７６は、電装基盤６０に設けられたピン挿通穴６８の位置に対応する。ピン挿通穴７６には、基盤固定部４１に設けられた位置決めピン４１５が挿通される。
【００４４】
図４〜図６を参照し、スイッチ部材１１，１２の構造を説明する。スイッチ部材１１は、上下方向に延びるアーム部８１と、アーム部８１の下端部に設けられ、使用者によって後方に押圧される押圧部８２とを備える。アーム部８１は、レバー用開口部４６の左右方向の幅と同一又はそれ以上の幅を有し、正面視縦長の略矩形状に形成されている。アーム部８１の上端部には、一対の被軸支ピン８３，８４が設けられている。被軸支ピン８３は左方に突出し、被軸支ピン８４は右方に突出する。
【００４５】
アーム部８１の背面下端側の幅方向の略中央部には、被当接部８５が設けられている。被当接部８５は、後方に突出する略四角柱状に形成されている。被当接部８５の後方に突出する背面は、上下方向に対して略平行である。アーム部８１の裏面側における上端部と被当接部８５との間には、上下方向に且つ互いに平行に延び、後方に向けて突出する一対のリブ８６，８７が設けられている。
【００４６】
押圧部８２は、アーム部８１の下端部に設けられ、前方に向けて側面視略台形状に突出するように形成されている。押圧部８２の内側は空洞状であり、その下側の後端部の略中央部には、前方に向かって凹状に窪んだ係止凹部８８が設けられている。係止凹部８８には、ロック部材５５の係止部５７が所定位置に移動した場合に係止する。その場合、押圧部８２は押し込み不能となる。ロック部材５５は、チャイルドロックとして機能することができる。
【００４７】
なお、詳述しないが、スイッチ部材１２も、スイッチ部材１１と同様に、アーム部９１と押圧部９２を備える。アーム部９１は、一対の被軸支ピン９３，９４、被当接部９５、一対のリブ９６，９７を備える。押圧部９２は、係止凹部９８を備える。係止凹部９８には、ロック部材５５の係止部５８が所定位置に移動した場合に係止する。その場合、押圧部９２は押し込み不能となる。
【００４８】
図５〜図７を参照し、右側フロントパネル３１に対して、電装基盤６０、カバー部材７０、スイッチ部材１１，１２を組み付ける際の作業手順の一例を説明する。作業者は、先ず、右側フロントパネル３１の背面側の基盤固定部４１に対して、電装基盤６０の各種電子部品が設けられた片面側を、基盤固定部４１に対して対向配置させる。次いで、基盤固定部４１の左上に設けられた位置決めピン４１５に対して、電装基盤６０の左上に設けられたピン挿通穴６８を挿通させる。これにより、電装基盤６０は、位置決めピン４１５によって支持された状態となる。さらに、位置決めピン４１５に支持された電装基盤６０を後方から覆うように、カバー部材７０を配置し、ピン挿通穴６８から後方に突出する位置決めピン４１５に対して、カバー部材７０の左上に設けられたピン挿通穴７６を挿通させる。これにより、カバー部材７０も、位置決めピン４１５によって支持された状態となる。
【００４９】
この状態で、基盤固定部４１に設けられた固定穴４１１〜４１３に対し、電装基盤６０に設けられた固定穴６１〜６３、及びカバー部材７０に設けられた固定穴７３〜７５が夫々対向するように、基盤固定部４１に対し、電装基盤６０及びカバー部材７０を夫々位置決めする。電装基盤６０及びカバー部材７０の位置決め完了後、３本のネジ２８を、固定穴７３〜７５に対して挿入し、固定穴６１〜６３を介して、固定穴４１１〜４１３に夫々締結する。これにより、基盤固定部４１に対して、電装基盤６０が固定され、その電装基盤６０を覆うようにして、カバー部材７０が固定される（図７参照）。
【００５０】
なお、この状態で、カバー部材７０の側壁部７２の下端部（右側フロントパネル３１の背面側に対向する端部）は、右側フロントパネル３１の背面との間に隙間が形成されるのが好ましい。この隙間によって、カバー部材７０の内側に、電装基盤６０に生じる熱がこもるのを防止できる。なお、上記作業手順の一例において、電装基盤６０とカバー部材７０を予め重ねた状態で、位置決めピン４１５に対して、電装基盤６０のピン挿通穴６８と、カバー部材７０のピン挿通穴７６とを共に挿通させるようにしてもよい。その場合、電装基盤６０の固定穴６１〜６３、カバー部材７０の固定穴７３〜７５に対し、３本のネジ２８を夫々予め挿通させておけばよい。
【００５１】
次いで、右側フロントパネル３１の背面側に対して、スイッチ部材１１，１２を取り付ける。図４，図５に示すように、スイッチ部材１１の被軸支ピン８３，８４を、右側フロントパネル３１の背面側に設けられた一対の軸受部４２Ａ，４２Ｂの内側に挿入する。これにより、被軸支ピン８３，８４は軸受部４２Ａ，４２Ｂに回動可能に軸支される。この状態で、右側フロントパネル３１の下側に設けられたスイッチ用開口部５１（図７参照）に対して、スイッチ部材１１の押圧部８２を後方から前方に押し込んで挿入する。これにより、スイッチ部材１１が右側フロントパネル３１に取り付けられる。
【００５２】
他方、スイッチ部材１２の被軸支ピン９３，９４を、右側フロントパネル３１の背面側に設けられた一対の軸受部４３Ａ，４３Ｂの内側に挿入する。これにより、被軸支ピン９３，９４は軸受部４３Ａ，４３Ｂに回動可能に軸支される。この状態で、右側フロントパネル３１の下側に設けられたスイッチ用開口部５２（図７参照）に対して、スイッチ部材１２の押圧部９２を後方から前方に押し込んで挿入する。これにより、スイッチ部材１２が右側フロントパネル３１に取り付けられる。
【００５３】
そして、電装基盤６０、カバー部材７０、スイッチ部材１１，１２が取り付けられた右側フロントパネル３１を、筐体２の前板部２４の右側に位置決めし、右側フロントパネル３１に設けられた固定穴３１１〜３１３（図４，図５参照）を介してネジで固定する。これにより、右側フロントパネル３１が前板部２４に取り付けられる（図２参照）。右側フロントパネル３１が前板部２４に取り付けられた状態では、スイッチ部材１１の被当接部８５に対して、点火消火装置１０１の移動部材（図示略）が後方から当接する。スイッチ部材１２の被当接部９５に対して、点火消火装置１０２の移動部材１１３（図３参照）が後方から当接する。これにより、例えば、グリルで加熱調理を行う場合、使用者がスイッチ部材１２の押圧部９２を押し込むことによって、点火消火装置１０２の移動部材１１３が後方に押し込まれる。そして、バルブボディ内のスピンドルが後方に移動することによってガス流路が開かれ、グリルバーナに向けてガスが供給される。このとき、グリルバーナの近傍に設置されたイグナイタ（図示略）が駆動することによって、グリルバーナが点火される。
【００５４】
図５を参照し、レバー用開口部４６，４７から煮汁が右側フロントパネル３１の背面側に侵入してきた場合の電装基盤６０に対する煮汁付着防止効果について説明する。例えば、加熱調理途中に鍋に吹き零れが生じて、煮汁等が右側フロントパネル３１側に流れ、レバー用開口部４６，４７を通じて右側フロントパネル３１の背面側に侵入する場合がある。この場合、煮汁は、レバー用開口部４６，４７から右側フロントパネル３１の背面を伝って下方に流れるが、本実施形態では、電装基盤６０の上方に庇部４５が設けられている。これにより、図７に示すように、レバー用開口部４６，４７から下方に流れる煮汁を庇部４５で受けることができるので、電装基盤６０に煮汁が付着するのを防止できる。さらに、庇部４５の左右方向の幅は、右側フロントパネル３１の基盤固定部４１に固定された電装基盤６０（図６参照）の横方向の幅よりも長くなっている。さらに、庇部４５の後端部は、電装基盤６０を覆うカバー部材７０の背面よりも後方に張り出している（図７参照）。その結果、基盤固定部４１に固定される電装基盤６０に煮汁がかかるのをより効果的に防止できる。
【００５５】
また、図３，図７に示すように、基盤固定部４１に固定された電装基盤６０の前面は、右側フロントパネル３１で覆われ、それ以外の背面及び上下左右の部分は、カバー部材７０によって覆われている。これにより、電装基盤６０に煮汁がかかるのをより効果的に防止できる。さらに、カバー部材７０を基盤固定部４１に取り付けることで、電装基盤６０の全方位を包み込むように覆うことができるので、ハエ等の害虫がカバー部材７０の内側に侵入し、電装基盤６０に付着することを防止できる。
【００５６】
また、右側フロントパネル３１の背面側において、レバー用開口部４６，４７の下方には、スイッチ部材１１，１２のアーム部８１，９１が夫々配置されている。これらアーム部８１，９１は、電装基盤６０の後方を廻り込むようにして下方に延びている。このような構造において、レバー用開口部４６，４７から煮汁が侵入してきた場合、煮汁は、スイッチ部材１１，１２のアーム部８１，９１を伝って、基盤固定部４１に固定された電装基盤６０と接触するのを避けながら、電装基盤６０よりも下方に導かれる。これにより、煮汁が電装基盤６０にかかるのをより効果的に防止できる。
【００５７】
さらに、スイッチ部材１１，１２のアーム部８１，９１は、レバー用開口部４６，４７の幅と同一又はそれ以上の幅を有する。これにより、レバー用開口部４６，４７のどの位置から煮汁が侵入してきても、侵入してきた煮汁に対してアーム部８１，９１の何れかを接触させることができるので、煮汁を電装基盤６０よりも下方に導くことができる。
【００５８】
また、アーム部８１の背面部には、上下方向に延びる一対のリブ８６，８７が設けられ、アーム部９１の背面部には、上下方向に延びる一対のリブ９６，９７が設けられている。これにより、例えば、アーム部８１の背面部を伝って流れる煮汁を、より効率的に基盤固定部４１に固定された電装基盤６０の下方に導くことができる。アーム部９１の背面部においても同様の効果を得ることができる。よって、基盤固定部４１に固定される電装基盤６０に煮汁等がかかるのをより効果的に防止できる。
【００５９】
また、図４，図５に示すように、スイッチ部材１１の押圧部８２が後方に押し込まれていない状態では、カバー部材７０の背面側に沿うように、且つ位置決めピン４１５を後方から覆うようにして、アーム部８１の前面部が配置される。これにより、電装基盤６０側への煮汁の侵入を防止できる。
【００６０】
なお、本実施形態では説明しないが、左側フロントパネル３２においても、右側フロントパネル３１と同様の構造を備えており、上記と同一の作用効果を奏することができる。
【００６１】
以上説明したように、本実施形態のガスコンロ１は、右側フロントパネル３１及び左側フロントパネル３２を備える。右側フロントパネル３１及び左側フロントパネル３２は、筐体２の前板部２４に取り付けられる。右側フロントパネル３１の前面には、操作パネル部３５が設けられている。操作パネル部３５は、押下ボタン３５１，３５２等の操作部を備える。右側フロントパネル３１の背面に設けられた基盤固定部４１は、操作パネル部３５に対応する部位である。そのような基盤固定部４１には、電装基盤６０が固定される。また、右側フロントパネル３１の基盤固定部４１よりも上方には、火力調節レバー１６，１７を挿通させる為のレバー用開口部４６，４７が形成されている。このような右側フロントパネル３１の背面において、基盤固定部４１の上側には庇部４５が設けられている。庇部４５は、基盤固定部４１の上側に沿って横方向に延び、且つ後方に張り出している。そして、その庇部４５の左右方向の幅は、基盤固定部４１に固定された電装基盤６０の左右方向の幅よりも長くなっている。これにより、レバー用開口部４６，４７を通じて煮汁等が右側フロントパネル３１の背面に侵入してきたとしても、該煮汁を庇部４５で受けることができる。その結果、基盤固定部４１に固定される電装基盤６０に煮汁等がかかるのを防止できる。
【００６２】
上記説明において、操作パネル部３５に設けられた押下ボタン３５１，３５２が本発明の「操作部」の一例である。基盤固定部４１が本発明の「所定領域」の一例である。レバー用開口部４６，４７は本発明の「開口」の一例である。一対の軸受部４２Ａ，４２Ｂ、及び一対の軸受部４３Ａ，４３Ｂは本発明の「支持部」の一例である。位置決めピン４１５が本発明の「突起部」の一例である。ピン挿通穴７６が本発明の「挿通穴」の一例である。スイッチ用開口部５１，５２が本発明の「穴部」の一例である。
【００６３】
なお、本発明は上記実施形態に限定されるものではなく、種々の変更が可能である。例えば、上記実施形態のガスコンロ１は、グリル庫を備えるものであるが、グリル庫を備えないコンロバーナのみのコンロでもよい。
【００６４】
また、上記実施形態の右側フロントパネル３１及び左側フロントパネル３２の夫々の前面部は、前方に対して上部から下部にかけて斜め下方に傾斜しているが、水平面に対して略垂直であってもよい。
【００６５】
また、上記実施形態では、スイッチ部材１１，１２の夫々の押圧部８２，９２を前方に付勢する付勢手段として、点火消火装置１０１，１０２に内蔵する戻しバネ（図示略）を採用しているが、これ以外の方法で、押圧部８２，９２を前方に付勢するようにしてもよい。例えば、右側フロントパネル３１及び左側フロントパネル３２に対して、押圧部８２，９２を前方に付勢するバネ又は弾性部材（ゴム、樹脂等）を取り付けてもよい。
【００６６】
また、上記実施形態のスイッチ部材１１のアーム部８１の背面には、一対のリブ８６，８７が設けられているが、リブの数はこれより多くても少なくてもよい。スイッチ部材１２のアーム部９１の背面に設けられる一対のリブ９６，９７についても同様である。
【００６７】
また、上記実施形態の右側フロントパネル３１及び左側フロントパネル３２において、操作パネル部３５，３６に設けられる構成は上記実施形態に限らず、種々の変更が可能である。例えば、押下ボタンの個数、表示器の個数等はこれらに限定されない。また、これらの構成に加えて、ＬＥＤ等の発光部等をさらに追加することもできる。
【００６８】
また、上記実施形態の右側フロントパネル３１の背面側に設けられた庇部４５は、基盤固定部４１の上側に沿って横方向に延びているが、電装基盤６０を上方から覆うものであれば、形状の変更が可能である。例えば、庇部４５の長手方向の略中央部が凸となるように湾曲又は屈曲させてもよい。
【符号の説明】
【００６９】
１          ガスコンロ
２          筐体
５          右コンロバーナ
６          左コンロバーナ
１１，１２    スイッチ部材
１６，１７    火力調節レバー
３１          右側フロントパネル
３２          左側フロントパネル
３５，３６    操作パネル部
４１          基盤固定部
４２Ａ，４２Ｂ    軸受部
４３Ａ，４３Ｂ    軸受部
４５          庇部
４６，４７    レバー用開口部
５１，５２    スイッチ用開口部
６０          電装基盤
７０          カバー部材
７６          ピン挿通穴
８１，９１    アーム部
８２，９２    押圧部
８６，８７    リブ
９６，９７    リブ
１０１，１０２    点火消火装置
３５１，３５２    押下ボタン
４１５            位置決めピン
【図１】
0006655330.tif 000002
【図２】
0006655330.tif 000003
【図３】
0006655330.tif 000004
【図４】
0006655330.tif 000005
【図５】
0006655330.tif 000006
【図６】
0006655330.tif 000007
【図７】
0006655330.tif 000008